(57)【要約】【課題】可及的に簡単な入力操作により背景映像を選択できる音楽再生装置を提供する。【解決手段】入力装置である操作パネル２４又はリモコン４４により選曲番号に付随して入力される単一の番号に応じてディスクプレーヤ１４に備えられた複数の背景映像のうちから所定の背景映像を選択する背景映像選択手段５６（Ｓ１２）を含むことから、煩雑な計算や入力を行う必要がなく、可及的に簡単な入力操作により背景映像を選択できるカラオケ装置１０を提供することができる。【選択図】  図８
2004354803.tif 000002
【特許請求の範囲】
【請求項１】
所定の入力装置により入力される選曲番号により複数の演奏曲のうちから選択される所望の演奏曲を出力させると共に、複数の背景映像のうちから選択される所定の背景映像を表示させる音楽再生装置であって、
前記入力装置により前記選曲番号に付随して入力される単一の番号に応じて前記複数の背景映像のうちから所定の背景映像を選択する背景映像選択手段を含むことを特徴とする音楽再生装置。
【請求項２】
前記単一の番号は、０から９の整数値の何れかである請求項１の音楽再生装置。
【請求項３】
前記入力装置により単一の番号が入力された後、該入力装置により所定の入力操作が行われた場合には、該単一の番号が背景映像を選択するための番号であると判別する番号判別手段を含むものである請求項１又は２の音楽再生装置。
【請求項４】
前記入力装置により１つの番号が入力されてから次の番号が入力されるまでの時間を計測する時間計測手段を含み、前記番号判別手段は、前記入力装置により単一の番号が入力された後、前記時間計測手段により計測される次の番号が入力されるまでの時間が所定値に達した場合には、該単一の番号が背景映像を選択するための番号であると判別するものである請求項３の音楽再生装置。
【発明の詳細な説明】
【０００１】
【発明の属する技術分野】
本発明は、例えば、カラオケボックスで使用されるカラオケ装置等の音楽再生装置に関し、特に、カラオケ演奏に際して表示される背景映像を選択する機能に関する。
【０００２】
【従来の技術】
複数の演奏曲のうちから選択入力された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の演奏情報を出力させると共に、その演奏曲の歌詞情報を含む映像をその出力に同期して画面に表示させることで、所望の歌のカラオケ演奏を楽しむことができる。
【０００３】
近年、ＣＤやＤＶＤ等といった記憶媒体に記憶されて所定の映像再生装置により再生される背景映像に歌詞文字映像（歌詞テロップ）を付加する態様のカラオケ装置が普及している。例えば、カラオケサービス提供会社のホストサーバと通信回線によって接続される通信カラオケ装置がその一例である。斯かる態様のカラオケ装置では、背景映像を複数種類の演奏曲に汎用できるため、各演奏曲にあつらえの映像を用意する必要がなく、比較的多数の曲を演奏できるという利点がある反面、演奏曲の内容にそぐわない背景映像が再生されたり、同一の背景映像が立て続けに再生されたりすることで場の雰囲気が損なわれる可能性があった。
【０００４】
その一方で、例えば、四季の風景を背景映像として表示する「四季の歌（風景バージョン）」の選曲番号を「２３６」とし、四季の歌の歌詞を反映した物語を背景映像として表示する「四季の歌（物語バージョン）」の選曲番号を「５２３６９」とする等、背景映像を選択できるように同一の演奏曲に複数の選曲番号を割り当てたカラオケ装置が知られているが、選曲のための早見本のページ数が増加したり、利用者が選曲番号を覚えづらくなる等の新たな弊害を生じさせるものであった。そこで、簡単な入力操作により背景映像を選択するための技術が提案されている。例えば、特許文献１に記載された音声・映像再生システムがそれである。この音声・映像再生システムは、基本となる選曲番号に所定の値を加算した番号が入力されることで、その所定の値を加算せずに入力された場合とは異なる背景映像を選択するものである。
【０００５】
【特許文献１】
特開平７−６４５８１号公報
【０００６】
【発明が解決しようとする課題】
しかし、前記従来の技術では、基本となる選曲番号に所定の値を加える計算を行う必要があり、計算ミスにより誤った番号が入力される可能性があった。また、計算を容易にするために、上記所定の値として例えば「１０００００」等といった区切りの良い数を用いることが考えられるが、基本となる選曲番号が例えば「２４」といった桁数の少ない数である場合には、「１０００２４」というように複数の「０」を入力しなければならないため入力操作が煩雑となったり、「０」の個数を間違える等の新たな問題を生じさせる可能性があった。すなわち、可及的に簡単な入力操作により背景映像を選択できる音楽再生装置は、未だ開発されていないのが現状である。
【０００７】
本発明は、以上の事情を背景として為されたものであり、その目的とするところは、可及的に簡単な入力操作により背景映像を選択できる音楽再生装置を提供することにある。
【０００８】
【課題を解決するための手段】
斯かる目的を達成するために、本発明の要旨とするところは、所定の入力装置により入力される選曲番号により複数の演奏曲のうちから選択される所望の演奏曲を出力させると共に、複数の背景映像のうちから選択される所定の背景映像を表示させる音楽再生装置であって、前記入力装置により前記選曲番号に付随して入力される単一の番号に応じて前記複数の背景映像のうちから所定の背景映像を選択する背景映像選択手段を含むことを特徴とするものである。
【０００９】
【発明の効果】
このようにすれば、前記入力装置により前記選曲番号に付随して入力される単一の番号に応じて前記複数の背景映像のうちから所定の背景映像を選択する背景映像選択手段を含むことから、煩雑な計算や入力を行う必要がなく、可及的に簡単な入力操作により背景映像を選択できる音楽再生装置を提供することができる。
【００１０】
【発明の他の態様】
ここで、好適には、前記単一の番号は、０から９の整数値の何れかである。このようにすれば、実用に即した番号を用いて可及的に簡単な入力操作により背景映像を選択できるという利点がある。
【００１１】
また、好適には、前記入力装置により単一の番号が入力された後、その入力装置により所定の入力操作が行われた場合には、その単一の番号が背景映像を選択するための番号であると判別する番号判別手段を含むものである。このようにすれば、前記選曲番号が入力される直前又は直後に入力される単一の番号により背景映像を選択できるという利点がある。
【００１２】
また、好適には、前記入力装置により１つの番号が入力されてから次の番号が入力されるまでの時間を計測する時間計測手段を含み、前記番号判別手段は、前記入力装置により単一の番号が入力された後、前記時間計測手段により計測される次の番号が入力されるまでの時間が所定値に達した場合には、その単一の番号が背景映像を選択するための番号であると判別するものである。このようにすれば、前記選曲番号が入力される直前又は直後に入力される単一の番号により背景映像を選択できるという利点がある。
【００１３】
【実施例】
以下、本発明の好適な実施例を図面に基づいて詳細に説明する。
【００１４】
図１は、本発明が適用された音楽再生装置の一例であるカラオケ装置１０の構成を示すブロック線図である。このカラオケ装置１０は、ＣＲＴ等の映像表示装置１２と、背景映像再生装置としてのディスクプレーヤ１４と、映像合成装置としてのビデオミキサ１６と、アンプミキサ１８と、スピーカ２０と、音声入力装置としてのマイク２２と、入力装置としての操作パネル２４と、中央演算処理装置であるＣＰＵ２６、ＲＯＭ２８、ＲＡＭ３０、記憶装置であるハードディスク３２、ターミナルアダプタ３４、ＣＲＴコントローラ３６、上記操作パネル２４からの入力信号を処理する入出力インターフェイス３８、演奏情報を生成して出力するためのシンセサイザ４０、及びＡ／Ｄコンバータ４２とを、備えて構成されている。
【００１５】
上記中央演算処理装置２６は、上記ＲＯＭ２８に記憶された所定のプログラムに基づいて電子情報を処理・制御する所謂コンピュータであり、ユーザ（カラオケ装置１０の利用者）により所定のカラオケ演奏曲が選曲された場合、上記ハードディスク３２から上記ＲＡＭ３０に選曲されたカラオケ演奏曲の背景映像指定情報、演奏情報、及び歌詞情報等を読み出したり、カラオケ演奏曲の演奏が進行するのに応じてそのＲＡＭ３０から上記シンセサイザ４０へ演奏情報を送ったり、上記ＣＲＴコントローラ３６へ歌詞情報に基づいて歌詞文字映像を生成して送ったり、選曲時には曲名文字映像をＣＲＴコントローラ３６へ送ったり、上記ディスクプレーヤ１４の制御をする等の基本的な制御を実行する。
【００１６】
前記操作パネル２４は、ユーザが歌いたいカラオケ演奏曲を選択するために選曲番号を入力したり、顧客を識別するために顧客毎に設定された顧客ＩＤを入力したりするための０から９までの数字を含む１２個の番号釦２４ａ、選曲釦２４ｂ、取消釦２４ｃ、及び演奏曲の音程を調整したり、演奏と歌との音量バランスを調整したり、その他、エコー、音量、トーン等の各種調整を行うための図示しない操作釦（スイッチ）或いはツマミを備えた入力装置である。この操作パネル２４には、操作補助・確認のための表示部２４ｄが設けられている。また、前記カラオケ装置１０には、前記操作パネル２４の一部機能を遠隔で実行するために、かかる操作パネル２４と同様に入力装置として機能するリモコン４４が備えられている。
【００１７】
図２は、上記リモコン４４の操作部を説明する図である。この図２に示すように、斯かるリモコン４４の操作部には、０から９までの番号を含む１２個の番号釦４４ａ、選曲釦４４ｂ、取消釦４４ｃ、左右上下の矢印釦４４ｄが設けられている。上記番号釦２４ａ、４４ａは、選曲番号や顧客ＩＤを入力するための釦（スイッチ）であり、その番号釦２４ａ、４４ａが押されると、対応する番号が前記カラオケ装置１０へ送られて前記操作パネル２４の表示部２４ｄに表示され、上記選曲釦２４ｂ、４４ｂが押されることによりその選曲番号や顧客ＩＤが確定する。また、前記操作パネル２４の表示部２４ｄに番号が表示されている際に上記取消釦２４ｃ、４４ｃが押されることによりその番号が消去される。左右上下の矢印釦４４ｄは、前記映像表示装置１２に選択肢が表示された際、同様に表示されるカーソル等を左右上下に移動させるための釦であり、その矢印釦４４ｄが操作されると、カーソル移動信号が出力されて上記選曲釦２４ｂ、４４ｂが押されることにより選択している項目が確定する。また、前記カラオケ装置１０によるカラオケ演奏中に左右の矢印釦４４ｄが操作されると、演奏音の音程を変更するための音程変更信号が出力される。
【００１８】
前記ハードディスク３２は、カラオケ演奏に必要な各種情報を記憶する記憶装置であり、カラオケ演奏曲毎に曲名及び歌手名等を含むタイトル情報、背景映像を指定するための背景映像指定情報、演奏情報、及び歌詞情報等を記憶するカラオケ情報データベースが設けられている。このカラオケ情報データベースに記憶される演奏情報は、例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式の音楽データであり、カラオケ演奏に際して前記シンセサイザ４０へ供給される。
【００１９】
前記ディスクプレーヤ１４は、ユーザが歌詞を参照しながら歌を歌う際に前記映像表示装置１２に表示される背景映像（ＮＴＳＣ映像）を記憶したＣＤやＤＶＤを再生する背景映像再生装置である。また、前記ビデオミキサ１６は、前記ハードディスク３２から読み出された歌詞情報に基づいて前記中央演算処理装置２６において生成され且つ前記ＣＲＴコントローラ３６から出力される歌詞文字映像と、前記ディスクプレーヤ１４から送られる背景映像とを合成して前記映像表示装置１２に表示させる映像合成装置である。
【００２０】
前記シンセサイザ４０は、前記ハードディスク３２から読み出されて送られて来る演奏曲の演奏情報に基づき、楽器の演奏信号等の音楽信号を生成する音源である。生成された音楽信号は、アナログ信号に変換されて前記アンプミキサ１８へ送られる。そのアンプミキサ１８では、送られてきた音楽信号と前記マイク２２を介して入力されるユーザの歌声とがミキシングされ、それらの信号が電気的に増幅される。そして、そのミキシングされた音が前記スピーカ２０から出力される。前記Ａ／Ｄコンバータ４２は、前記マイク２２から入力される音声をデジタル信号に変換して前記中央演算処理装置２６へ供給する。
【００２１】
前記ターミナルアダプタ３４は、前記カラオケ装置１０を公衆電話回線、有線放送用ケーブル、又は光ファイバ等による通信回線４６に接続するための装置である。カラオケボックス等の店舗にそれぞれ備えられた複数のカラオケ装置１０は、上記通信回線４６を介してカラオケサービス提供会社のホストサーバ４８に接続されており、それら複数のカラオケ装置１０によって常に新しい曲が演奏可能とされるように、随時新曲のカラオケ情報等が上記ホストサーバ４８から上記通信回線４６を介してダウンロードされ、前記ハードディスク３２のカラオケ情報データベース等に記憶されるようになっている。
【００２２】
図３は、前記中央演算処理装置２６による背景映像選択機能の要部を説明する機能ブロック線図である。この図３に示す番号受付手段５０は、入力装置として機能する前記操作パネル２４又はリモコン４４により所定の番号入力操作が行われた場合、すなわち前記番号釦２４ａ、４４ａが押された場合には、その番号を受け付けて前記ＲＡＭ３０等に記憶すると共に、前記操作パネル２４の表示部２４ｄに表示する。時間計測手段５２は、上記番号受付手段５０により１つの番号が受け付けられてから次の番号が受け付けられるまでの時間を内部タイマにより計測する。
【００２３】
番号判別手段５４は、上記番号受付手段５０により単一の番号が受け付けられた後、前記操作パネル２４又はリモコン４４により所定の入力操作が行われた場合には、その単一の番号が背景映像を選択するための番号であると判別する。好適には、前記選曲番号が入力される直前又は直後に上記番号受付手段５０により単一の番号が受け付けられた後、前記選曲釦２４ｂ、４４ｂが押された場合には、その単一の番号が背景映像を選択するための番号であると判別する。例えば、図４（ａ）に示すように、上記番号受付手段５０により番号「９」が受け付けられた後、前記選曲釦２４ｂ、４４ｂが押された場合には、その番号「９」が背景映像を選択するための番号であると判別して前記ＲＡＭ３０等に記憶すると共に、図４（ｂ）に示すように、前記操作パネル２４の表示部２４ｄに表示されていた番号「９」を消去する。次に、図４（ｃ）に示すように、上記番号受付手段５０により番号「３４８２」が受け付けられた後、前記選曲釦２４ｂ、４４ｂが押された場合には、その番号「３４８２」が選曲番号であると判断して前記ＲＡＭ３０等に記憶する。そして、選曲番号「３４８２」に対応する曲のカラオケ演奏に際しては、番号「９」に応じた背景映像が選択される。また、図５（ａ）に示すように、上記番号受付手段５０により番号「５２６５」が受け付けられた後、前記選曲釦２４ｂ、４４ｂが押された場合には、その番号「５２６５」が演奏曲を選択するための選曲番号であると判別して前記ＲＡＭ３０等に記憶すると共に、図５（ｂ）に示すように、その番号「５２６５」を消去する。次に、上記選曲番号が受け付けられてから所定時間（例えば、１０秒間）内に、図５（ｃ）に示すように、上記番号受付手段５０により番号「３」が受け付けられた後、前記選曲釦２４ｂ、４４ｂが押された場合には、その番号「３」が背景映像を選択するための番号であると判別して前記ＲＡＭ３０等に記憶する。そして、選曲番号「５２６５」に対応する曲のカラオケ演奏に際しては、番号「３」に応じた背景映像が選択される。
【００２４】
また、上記番号判別手段５４は、好適には、前記番号受付手段５０により単一の番号が受け付けられた後、上記時間計測手段５２により計測される次の番号が入力されるまでの時間が所定値（例えば１秒）に達した場合には、その単一の番号が背景映像を選択するための番号であると判別する。例えば、図６（ａ）に示すように、上記番号受付手段５０により番号「９」が受け付けられた後、上記時間計測手段５２により計測される次の番号が入力されるまでの時間が所定値に達した場合には、その番号「９」が背景映像を選択するための番号であると判別して前記ＲＡＭ３０等に記憶すると共に、図６（ｂ）に示すように、前記操作パネル２４の表示部２４ｄに表示されていた番号「９」を消去する。次に、図６（ｃ）に示すように、上記番号受付手段５０により番号「３４８２」が受け付けられた後、前記選曲釦２４ｂ、４４ｂが押された場合には、その番号「３４８２」が選曲番号であると判断して前記ＲＡＭ３０等に記憶する。そして、選曲番号「３４８２」に対応する曲のカラオケ演奏に際しては、番号「９」に応じた背景映像が選択される。また、図７（ａ）に示すように、上記番号受付手段５０により番号「５２６５」が受け付けられた後、前記選曲釦２４ｂ、４４ｂが押された場合には、その番号「５２６５」が演奏曲を選択するための選曲番号であると判別して前記ＲＡＭ３０等に記憶すると共に、図７（ｂ）に示すように、その番号「５２６５」を消去する。次に、上記選曲番号が受け付けられてから所定時間内に、図７（ｃ）に示すように、上記番号受付手段５０により番号「３」が受け付けられた後、上記時間計測手段５２により計測される次の番号が入力されるまでの時間が所定値に達した場合には、その番号「３」が背景映像を選択するための番号であると判別して前記ＲＡＭ３０等に記憶する。そして、選曲番号「５２６５」に対応する曲のカラオケ演奏に際しては、番号「３」に応じた背景映像が選択される。
【００２５】
背景映像選択手段５６は、前記番号受付手段５０により受け付けられた番号が選曲されたカラオケ演奏時に前記映像表示装置１２に表示される背景映像を選択するための番号である場合、すなわち前記番号判別手段５４により上記単一の番号が背景映像を選択するための番号であると判別された場合には、前述した図４乃至図７に示すように、その単一の番号に応じて前記ディスクプレーヤ１４に備えられた複数の背景映像のうちから所定の背景映像を選択する。この単一の番号は、好適には、０から９の整数値の何れかである。前記ディスクプレーヤ１４に備えられた背景映像は、例えば、「１：懐かし映像ジャンル」、「２：お子様映像ジャンル」、「３：ピンク映像ジャンル」、・・・、「８：面白映像ジャンル」、「９：モノクローム映像ジャンル」、「０：ランダム映像ジャンル」等というように、それぞれ０から９の整数値により識別される映像ジャンルの何れかに配属されており、上記背景映像選択手段５６は、前記番号受付手段５０により受け付けられた前記単一の番号、すなわち０から９の整数値の何れかに対応する映像ジャンルに属する背景映像を選択する。
【００２６】
選曲手段５８は、前記番号受付手段５０により受け付けられた番号が背景映像を選択するための番号ではない場合には、その番号に応じて前記ハードディスク３２に記憶された複数の演奏曲のうちから所定の演奏曲を選択して、その演奏曲に対応する演奏情報を前記シンセサイザ４０へ送る。
【００２７】
図８は、前記カラオケ装置１０の中央演算処理装置２６による背景映像選択制御を説明するフローチャートであり、所定の周期で繰り返し実行されるものである。
【００２８】
先ず、ステップ（以下、ステップを省略する）Ｓ１において、曲指定フラグＦが０とされて次の映像ジャンル番号すなわち背景映像を選択するための番号が受け付け可能とされる。次に、前記番号受付手段５０に対応するＳ２において、前記操作パネル２４又はリモコン４４により所定の番号入力操作が行われたか否かが判断される。このＳ２の判断が否定される場合には、Ｓ９において、前記選曲釦２４ｂ、４４ｂが押されたか否かが判断されるが、Ｓ２の判断が肯定される場合には、Ｓ３において、Ｓ２にて受け付けられた番号が一桁目であるか否か、すなわち単一の番号であるか否かが判断される。このＳ３の判断が否定される場合には、Ｓ８において、Ｓ２にて受け付けられた番号が選曲番号数値として前記ＲＡＭ３０等に記憶された後、Ｓ２以下の処理が再び実行されるが、Ｓ３の判断が肯定される場合には、Ｓ４において、所定時間番号の入力がないか否か、すなわち内部タイマにより計測される１つの番号が受け付けられてから次の番号が受け付けられるまでの時間が所定値に達したか否かが判断される。このＳ４の判断が否定されるうちは、Ｓ４の判断が繰り返されることにより待機させられるが、Ｓ４の判断が肯定される場合には、Ｓ５において、曲指定フラグＦが０であるか１であるかが判断される。このＳ５にて曲指定フラグが１であると判断される場合には、Ｓ６において、Ｓ２にて受け付けられた単一の番号が直前に選曲された演奏曲の映像ジャンル番号として前記ＲＡＭ３０等に記憶された後、本ルーチンが終了させられるが、Ｓ５にて曲指定フラグが０であると判断される場合には、Ｓ７において、Ｓ２にて受け付けられた単一の番号が直後に選曲される演奏曲の映像ジャンル番号として前記ＲＡＭ３０等に記憶された後、Ｓ２以下の処理が再び実行される。
【００２９】
Ｓ９の判断が否定される場合、すなわち前記選曲釦２４ｂ、４４ｂが押されていないと判断される場合には、Ｓ１６において、その他の動作が実行された後、Ｓ２以下の処理が再び実行されるが、Ｓ９の判断が肯定される場合、すなわち前記選曲釦２４ｂ、４４ｂが押されたと判断される場合には、Ｓ１０において、Ｓ２にて受け付けられた番号が一桁目であるか否か、すなわち単一の番号であるか否かが判断される。このＳ１０の判断が肯定される場合には、Ｓ５以下の処理が再び実行されるが、Ｓ１０の判断が否定される場合には、前記選曲手段５８に対応するＳ１１において、Ｓ２にて受け付けられた番号が選曲番号であると判別されて選曲動作が実行された後、前記背景映像選択手段５６に対応するＳ１２において、前記ＲＡＭ３０等に記憶された映像ジャンル番号に応じて前記ディスクプレーヤ１４に備えられた複数の背景映像のうちから所定の背景映像が選択される。次に、Ｓ１３において、選択済み曲の選曲番号を対象として曲指定フラグＦが１とされた後、Ｓ１４において、所定時間番号の入力がないか否かが判断される。このＳ１４の判断が否定されるうちは、Ｓ１４の判断が繰り返されることにより待機させられるが、Ｓ１４の判断が肯定される場合には、Ｓ１５において、曲指定フラグＦが０とされて次の映像ジャンル番号が受け付け可能とされた後、Ｓ２以下の処理が再び実行される。以上の制御において、Ｓ４及びＳ１４が前記時間計測手段５２に、Ｓ６及びＳ７が前記番号判別手段５４にそれぞれ対応する。
【００３０】
このように、本実施例によれば、入力装置である前記操作パネル２４又はリモコン４４により前記選曲番号に付随して入力される単一の番号に応じて前記複数の背景映像のうちから所定の背景映像を選択する背景映像選択手段５６（Ｓ１２）を含むことから、煩雑な計算や入力を行う必要がなく、可及的に簡単な入力操作により背景映像を選択できるカラオケ装置１０を提供することができる。
【００３１】
また、前記単一の番号は、０から９の整数値の何れかであるため、実用に即した番号を用いて可及的に簡単な入力操作により背景映像を選択できるという利点がある。
【００３２】
また、前記操作パネル２４又はリモコン４４により単一の番号が入力された後、前記選曲釦２４ｂ、４４ｂが押された場合には、その単一の番号が背景映像を選択するための番号であると判別する番号判別手段５４（Ｓ６及びＳ７）を含むものであるため、前記選曲番号が入力される直前又は直後に入力される単一の番号により背景映像を選択できるという利点がある。
【００３３】
また、前記操作パネル２４又はリモコン４４により１つの番号が入力されてから次の番号が入力されるまでの時間を計測する時間計測手段５２（Ｓ４及びＳ１４）を含み、前記番号判別手段５４は、前記操作パネル２４又はリモコン４４により単一の番号が入力された後、前記時間計測手段５２により計測される次の番号が入力されるまでの時間が所定値に達した場合には、その単一の番号が背景映像を選択するための番号であると判別するものであるため、前記選曲番号が入力される直前又は直後に入力される単一の番号により背景映像を選択できるという利点がある。
【００３４】
以上、本発明の好適な実施例を図面に基づいて詳細に説明したが、本発明はこれに限定されるものではなく、更に別の態様においても実施される。
【００３５】
例えば、前述の実施例において、入力装置である前記リモコン４４は、前記番号釦４４ａが押される毎にその番号を送信するものであったが、例えば、図９に示すように、番号釦６０ａ、選曲釦６０ｂ、取消釦６０ｃ、及び矢印釦６０ｄに加えて選曲番号に対応する番号を表示するための第１表示部６０ｅ及び映像ジャンル番号に対応する番号を表示するための第２表示部６０ｆを備え、上記番号釦６０ａが押される毎にその番号を上記第１表示部６０ｅ又は第２表示部６０ｆに表示し、上記選曲釦６０ｂが押されることによりその第１表示部６０ｅ及び第２表示部６０ｆに表示された番号を送信するリモコン６０が用いられてもよい。また、上記第１表示部６０ｅ及び第２表示部６０ｆの位置（順番）が置換されたリモコンが用いられても構わない。
【００３６】
また、図１０に示すように、番号釦６２ａ、選曲釦６２ｂ、取消釦６２ｃ、及び矢印釦６２ｄに加えて番号を表示するための単一の表示部６２ｅを備えたリモコン６２が用いられてもよい。この場合において、入力が所望される選曲番号が「５１０２２７」であり映像ジャンル番号が「７」である場合には、その映像ジャンル番号を選曲番号の直後に付加した番号「５１０２２７７」を入力する態様や、映像ジャンル番号を選曲番号の直前に付加した番号「７５１０２２７」を入力する態様が考えられる。
【００３７】
また、前述の実施例において、前記操作パネル２４又はリモコン４４により入力される単一の番号は、前記背景映像の映像ジャンルを選択するための映像ジャンル番号であったが、その単一の番号が直接に背景映像を選択するものであっても構わない。
【００３８】
また、前述の実施例において、前記操作パネル２４又はリモコン４４により入力される単一の番号は、０から９の整数値の何れかであったが、例えば、「＊」、「♯」、「＠」をはじめとする符号やアルファベット等であっても構わない。
【００３９】
その他、一々例示はしないが、本発明はその趣旨を逸脱しない範囲内において、種々の変更が加えられて実施されるものである。
【図面の簡単な説明】
【図１】本発明が適用された音楽再生装置の一例であるカラオケ装置の構成を示すブロック線図である。
【図２】図１のカラオケ装置に備えられたリモコンの操作部を説明する図である。
【図３】図１の中央演算処理装置による歌詞文字映像表示機能の要部を説明する機能ブロック線図である。
【図４】図１の操作パネル又はリモコンにより映像ジャンル番号及び選曲番号が入力される様子を示す図であり、（ａ）乃至（ｃ）は操作パネルの表示及びその操作パネル又はリモコンの操作を順次説明している。
【図５】図１の操作パネル又はリモコンにより映像ジャンル番号及び選曲番号が入力される様子を示す図であり、（ａ）乃至（ｃ）は操作パネルの表示及びその操作パネル又はリモコンの操作を順次説明している。
【図６】図１の操作パネル又はリモコンにより映像ジャンル番号及び選曲番号が入力される様子を示す図であり、（ａ）乃至（ｃ）は操作パネルの表示及びその操作パネル又はリモコンの操作を順次説明している。
【図７】図１の操作パネル又はリモコンにより映像ジャンル番号及び選曲番号が入力される様子を示す図であり、（ａ）乃至（ｃ）は操作パネルの表示及びその操作パネル又はリモコンの操作を順次説明している。
【図８】図３の中央演算処理装置による背景映像選択制御を説明するフローチャートである。
【図９】図１のカラオケ装置に備えられたリモコンの他の一例の操作部を説明する図である。
【図１０】図１のカラオケ装置に備えられたリモコンの更に別の一例の操作部を説明する図である。
【符号の説明】
１０：カラオケ装置（音楽再生装置）
２４：操作パネル（入力装置）
４４、６０、６２：リモコン（入力装置）
５２：時間計測手段
５４：番号判別手段
５６：背景映像選択手段
【図１】
2004354803.tif 000003
【図２】
2004354803.tif 000004
【図３】
2004354803.tif 000005
【図４】
2004354803.tif 000006
【図５】
2004354803.tif 000007
【図６】
2004354803.tif 000008
【図７】
2004354803.tif 000009
【図８】
2004354803.tif 000010
【図９】
2004354803.tif 000011
【図１０】
2004354803.tif 000012